(57)【要約】【課題】  画像形成装置のコントロールパネルに設けて、多数のキー類を保護するパネルカバーの軸支部に対して、板バネによる係止保持手段を設けて、通常使用しないスイッチ類等を保護できるようにする。【解決手段】  画像形成装置のコントロールパネルに設け、ＦＡＸ機能に対応させたワンタッチダイヤル装置に対して、パネルカバー２０を開閉可能に設ける。このカバー２０の軸１９に対する軸支部２２では、膨大部２３に２つの凹部２４、２４ａを設け、板バネ部材３０の係止部３２が前記凹部に係止されるようにし、カバー２０を閉じた位置と、開いてＦＡＸ送信に対処させる位置の双方で、前記カバーを保持できるようにしている。【選択図】          図２
2005184462.tif 000002
【特許請求の範囲】
【請求項１】
コントロールパネルのパネル上に、縦横の列状に多数のキーを配置して設けるワンタッチダイヤル部に対して、ワンタッチダイヤル部を覆うように、カバー部材を設けてなる装置であって、
前記キーパネルの上部を覆うように、パネルカバーを開閉可能に設け、
前記パネルカバーを閉じた位置と開いた位置との双方で、前記パネルカバーの支持軸部に対して、係止保持作用を発揮可能としたことを特徴とするキーパネルカバー。
【請求項２】
前記パネルカバーの支持軸部に対して被係止部を突出させて設け、
前記軸支部に対して、パネルカバーを設けた基板にはその下部に板バネ部材を設けて、  前記板バネ部材に対して、パネルカバーの被係止部を押圧して保持させることを特徴とする請求項１に記載のキーパネルカバー。
【発明の詳細な説明】
【技術分野】
【０００１】
本発明は、ファクシミリ装置機能を設けた画像形成装置において、短縮ダイヤル機能に対応させたパネルカバーの支持・停止機構に関し、パネルカバーを開いた位置と閉じた位置との双方で、固定保持可能としたキーパネルの軸支部の構造に関する。
【背景技術】
【０００２】
ＦＡＸ（ファクシミリ）装置や、ＦＡＸ機能を具備した画像形成装置においては、そのコントロールパネルに多数の操作キーやスイッチ類を配置して、その目的とする動作にしたがって、オペレータの操作を容易に行わせ得るように構成している。また、前記ＦＡＸ機能に対応させて、送信先の選択を容易に行い得るようにするために、短縮ダイヤル機能を設けており、多数のボタンを縦横に所定の配列関係を持たせて配置し、各ボタンの各々には、相手先の電話番号を登録している。そして、前記ボタンに対応させた位置に、基板に相手先等を表示しておくことで、オペレータが容易にＦＡＸ送信可能としている。その他に、前記短縮ダイヤル用のボタンには、複数の電話番号を登録しておき、そのうちの１つを選択するために、キーパネルを複数重ねて設けておき、特定のキーパネルを選択して閉じる（または開く）ことにより、前記キーパネルに対して設定したグループのＦＡＸに対して送信可能としている。
【０００３】
前記複数枚のキーパネルを多数個のボタン列に対して、各々位置決め可能に構成した画像形成装置においても、前記ＦＡＸ機能を使用しないで、複写機機能のみを用いることが多くある。そのような画像形成装置においても、パネルカバーを開いてキーパネルを露出させ、ワンタッチダイヤルキーを使用して、ＦＡＸ送信する場合には、前記パネルカバーを開いた状態で、安定保持することが必要とされる。また、ＦＡＸ機能を使用しない場合には、前記キーパネル等が露出しないように、パネルカバーで覆って保護することが良いと考えられている。そこで、例えば、特許文献１に説明されているように、板状の部材を開閉位置でそれぞれ保持できるようにする方式を適用することも考えられる（例えば、特許文献１を参照）。
【特許文献１】特開２００１−２３８０１８号公報
【発明の開示】
【発明が解決しようとする課題】
【０００４】
ところが、前記文献１のように、キーパネルを開いた状態で固定保持する手段では、支軸を湾曲させるようにして、その支軸の弾性による反力で、パネルを固定・保持させるようにしている。つまり、軸部材が弾性を有する棒部材により構成されることが必要とされることから、その弾性体の反作用により、キーパネルの軸支部に対しては、大きな反力が作用することにもなる。前記キーパネルの軸支部材に対して、パネルカバーの軸支部材を追加して設け、そのパネルカバーの固定保持のための力に対して、支軸に反力を負担させようとすると、支軸には非常に大きな反力が作用することにもなり、パネルの軸支部の全体に対しても、大きなストレスが蓄積されるという不都合が発生する。
【０００５】
本発明は、パネルカバーの軸支部に対して、板バネによる係止保持手段を設けておくことで、パネルカバーを保持する機構を簡素化できるとともに、保持手段の信頼性を向上させ得る装置を提供することを目的としている。
【課題を解決するための手段】
【０００６】
本発明は、コントロールパネルのパネル上に、縦横の列状に多数のキーを配置して設けるワンタッチダイヤル部に対して、ワンタッチダイヤル部を覆うように、カバー部材を設けてなる装置に関する。
請求項１の発明は、前記キーパネルの上部を覆うように、パネルカバーを開閉可能に設け、前記パネルカバーを閉じた位置と開いた位置との双方で、前記パネルカバーの支持軸部に対して、係止保持作用を発揮可能としたことを特徴とする。
【０００７】
請求項２の発明は、前記パネルカバーの支持軸部に対して被係止部を突出させて設け、前記軸支部に対して、パネルカバーを設けた基板にはその下部に板バネ部材を設けて、
前記板バネ部材に対して、パネルカバーの被係止部を押圧して保持させることを特徴とする。
【発明の効果】
【０００８】
前述したように構成したことにより、多数の入力ボタンやキーを設けたワンタッチダイヤルを、パネルカバーで覆うように設けた場合に、そのカバーを開いてキー類を操作可能とした時に、そのカバーを開いた状態を確実に維持できるものとなる。また、前記カバーを閉じた状態では、多少の衝撃が付与されたとしても、カバーが跳ねたりすることがなく、ワンタッチダイヤル部を容易に保護することができる。そして、前記カバー部材の開閉位置に保持する機構を、簡単な構造のものとすることで、画像形成装置のコントロールパネルに容易に装着することが可能となる。
【発明を実施するための最良の形態】
【０００９】
図示される例にしたがって、本発明の実施例を説明するが、以下に説明する本発明の実施例は、ＦＡＸと複写機の機能を設けた複合機の場合で、以下に説明している。しかし、前記ＦＡＸ機能を設けた画像形成装置としては、ＦＡＸ機能を備えた複合機の他に、プリンタ機能や、その他の任意の画像形成機能を組み合わせた装置等の、任意の構成を組み合わせて設けた画像形成装置を対象とすることが可能である。また、以下にパネルカバーとして説明するカバーいた部材は、ＦＡＸ機能に対応させたワンタッチダイヤル機能を保護するためのみではなく、その他に、任意の入力ボタン類の保護のために使用することができるものである。
【実施例】
【００１０】
図１に示す例は、複写機とＦＡＸ機能とを複合して構成した。一般的な画像形成装置の場合を例示しているものであるが、図示する画像形成装置の複合機１のコントロールパネル２においては、パネル面３に多数設けた入力ボタン５……に加えて、一方の側部には、ワンタッチキー部１０を設けている。前記コントロールパネル２の一端部に、ワンタッチキー部１０を配置している例において、パネル面３を一段低くした凹部を形成し、前記凹部１０に対して多数個のボタン１１を、縦横に列状に所定の配列関係を持たせて配置している。前記ワンタッチキー部１０において、前記多数個のボタン１１……を突出させるように、窓部１５……をそれぞれ設けたキーパネル１２〜１４をそれぞれ支軸１９を中心にして、パネル面と平行な位置と、ほぼ直角に立て掛けた位置との間で開閉可能に設けている。
【００１１】
前記ワンタッチキー部１０に配置する多数枚のキーパネル１２〜１４は、支軸１９に対してヒンジ部１６〜１８を中心にして、それぞれ開閉可能に設けているものである。そして、図示するように、１つのキーパネル１２を閉じた位置に保持し、他の２枚のキーパネル１３、１４を立て掛けた状態では、前記キーパネル１２に設けた窓部の各々からは、ボタン１１……がそれぞれ突出され、前記キーパネルに対応させて、各ボタン１１……に設定されたＦＡＸ番号が選択される。したがって、前記図示される状態で、オペレータが任意のボタン１１を押すと、キーパネル１２に対応させて設定された電話番号に対して、ＦＡＸの読み取り信号を送信できることになる。なお、前記キーパネルと窓部の関係や、キーパネルに対する検知機構等は、本発明の主要な目的ではないことから、その説明は省略する。
【００１２】
前記ワンタッチキー部１０に対して、前記複数枚のキーパネル１２〜１４の上をカバーするように、パネルカバー２０を設けており、前記パネルカバー２０をキーパネルと共通の支軸１９に支持させて、閉じた位置と開いた位置との間で揺動可能に設けている。前記パネルカバー２０においては、その自由側の端部に、突部材２５を所定の長さに突出させて設けており、ワンタッチキー部１０のパネル部材の端部には、前記突部材２５を挿入させる挿入孔２６を設けている。なお、前記挿入孔２６に対して、例えば、バヨネット機構等のように、軽く突部材２５を保持するような固定保持手段を設けること等も、任意に構成することが可能である。
【００１３】
前記パネルカバー２０は、図２、３に示すように、パネルカバー２０を開いた位置と、閉じた位置との間で揺動可能に設けており、図２ではパネルカバー２０を開いた状態を、図３にはパネルカバーを閉じた状態を説明している。なお、この説明では、図１の右側から見た状態で、パネル本体と軸支部２２の構成を説明している。図示する例において、本体カバー２１を支持する支軸部２２においては、膨大部２３の中を支軸１９が貫通する状態に位置されており、前記膨大部２３には、その表面部の所定の位置に、係止用凹部２４、２４ａとの２つの凹部を、任意の深さに切り込んだ状態で設けている。
【００１４】
また、前記軸支部に対応させて、板バネ部材３０を設けているもので、前記板バネ部材３０の基部は固定手段３１を用いて、パネルカバー４の下部に取り付けている。前記板バネ部材３０の先端部には、上向きに角部を設けた係止部３２を設けて、前記係止用凹部２４または２４ａに対して、前記係止部３２を係止させる状態で、パネルカバー２０を保持できるようにしている。前記図２に説明する例では、パネルカバー２０を開いた状態で、係止用凹部２４に対して係止部３２を係合させ、前記パネルカバー２０を立て掛けてボタン１１を露出させた状態を説明している。そして、前述したようにしてパネルカバーを開いた状態で、送信先の電話番号を設定しているグループのキーパネルを適宜選択し、相手先のボタン１１を押すことにより、装置が動作して原稿の情報を読み取り、ＦＡＸ送信できるようにしている。
【００１５】
前記図２の例とは異なり図３に示す例では、ＦＡＸ機能を使用せずに、ワンタッチキー部１０をパネルカバー２０によりカバーした状態で、動作させないように維持する場合を説明している。前記図３に示すように、ワンタッチキー部１０を閉じた状態で保持する場合にも、パネルカバーの軸支部で、板バネ部材３０によりパネルカバー２０を固定保持して、軽い衝撃が加えられた場合でも、パネルカバー２０が容易に開いたり、バタツキが発生したりすることがないように、保持できるようにする。図３に示すように、パネルカバー２０を閉じた場合には、膨大部２３の係止用凹部２４ａに対して、板バネの係止部３２が係合される状態とされて、パネルカバー２０を閉じた位置に保持する。
【００１６】
なお、前記実施例に開示したパネルカバーの軸支部では、一体に設けている膨大部に対して、２つの凹部を設けておき、その凹部に板バネの係止部を係止させるようにするが、前記凹部の構成や、板バネの係止部の構造等は、その機構による動作を正確に作動させることができれば、任意の形状に構成できる。また、前記パネルカバーのようなカバー部材は、ＦＡＸ機能のワンタッチダイヤル機能に対して設けるのみならず、通常は使用しない特殊な機能に対するボタン・スイッチ類を、不使用時に保護するためのカバーとしても用いることができる。そして、画像形成装置のコントロールパネルに対して、多くの機能に対応させたスイッチやボタン類を多数組設けた場合などに、その１つを使用して装置を動作させているときに、他の不要な機能のボタン類を、カバーにより覆っておくことで、オペレータが余分な動作を行ったりすることを防止できる。
【図面の簡単な説明】
【００１７】
【図１】ＦＡＸのコントロールパネルの平面図である。
【図２】パネルカバーを開いた状態の説明図である。
【図３】パネルカバーを閉じた状態の説明図である。
【符号の説明】
【００１８】
１    画像形成装置、  ２    コントロールパネル、  ３    パネル面、
４    パネルカバー、  ５    操作キー、  １０    ワンタッチキー部、
１１    キー、  １２〜１４    キーパネル、  １５    窓部、
１６〜１８    ヒンジ部、  ２９    支軸、  ２０    パネルカバー、
２１    本体カバー、  ２２    軸支部、  ２３    膨大部、  ２４    係止用凹部、  ２５    突部材、  ２６    係止孔、
３０    板バネ部材、  ３１    取付け部、  ３２    係止部。  
【図１】
2005184462.tif 000003
【図２】
2005184462.tif 000004
【図３】
2005184462.tif 000005